(57)【要約】【課題】本発明は、制動装置の制動力を強力にすることなく停止時の踏板の移動を防止できる傾斜型乗客コンベアを提供することにある。【解決手段】本発明は、駆動装置４に設けられた制動装置１３とは別に、踏板チェーン６を運転停止時に保持するチェーン保持手段２０，２３を設けたのである。  このように構成することで、制動装置１３の制動力を強力にする必要はなくなり、その結果、たとえば安全装置作動時に傾斜型乗客コンベアを緩停止させることができる。そして、運転停止時に多数の人たちが傾斜型乗客コンベアを階段や通路として利用しても、踏板チェーン６はチェーン保持手段２０，２３によって保持されているので、踏板（６）の移動を十分に防止することができる。【選択図】図１
2008273665.tif 000002
【特許請求の範囲】
【請求項１】
上下階に傾斜して設置された枠体と、この枠体内に案内され左右一対の無端状の踏板チェーン間に連結されて循環移動する複数の踏板と、前記踏板チェーンを前記枠体の上下部で巻き掛けた駆動スプロケット及び従動スプロケットと、前記駆動スプロケットを駆動する駆動装置と、この駆動装置に設けられた制動装置とを備えた傾斜型乗客コンベアにおいて、前記駆動スプロケットと従動スプロケットとの間に位置する踏板チェーンを運転停止時に保持するチェーン保持手段を設けたことを特徴とする傾斜型乗客コンベア。
【請求項２】
上下階に傾斜して設置された枠体と、この枠体内に案内され左右一対の無端状の踏板チェーン間に連結されて循環移動する複数の踏板と、前記踏板チェーンを前記枠体の上下部で巻き掛けた駆動スプロケット及び従動スプロケットと、前記駆動スプロケットを駆動する駆動装置と、この駆動装置に設けられた制動装置とを備えた傾斜型乗客コンベアにおいて、前記駆動スプロケットと従動スプロケットとの間に位置し往路側となる踏板チェーンを運転停止時に保持するチェーン保持手段を設けたことを特徴とする傾斜型乗客コンベア。
【請求項３】
上部水平枠と下部水平枠とそれらの間に位置する傾斜枠とから構成され上下階に傾斜して設置された枠体と、この枠体内に案内され左右一対の無端状の踏板チェーン間に連結されて循環移動する複数の踏板と、前記踏板チェーンを前記枠体の上下部で巻き掛けた駆動スプロケット及び従動スプロケットと、前記駆動スプロケットを駆動する駆動装置と、この駆動装置に設けられた制動装置とを備えた傾斜型乗客コンベアにおいて、前記枠体の中間傾斜枠内に位置し往路側となる踏板チェーンを運転停止時に保持するチェーン保持手段を設けたことを特徴とする傾斜型乗客コンベア。
【請求項４】
上部水平枠と下部水平枠とそれらの間に位置する傾斜枠とから構成され上下階に傾斜して設置された枠体と、この枠体内に案内され左右一対の無端状の踏板チェーン間に連結されて循環移動する複数の踏板と、前記踏板チェーンを前記枠体の上下部で巻き掛けた駆動スプロケット及び従動スプロケットと、前記駆動スプロケットを駆動する駆動装置と、この駆動装置に設けられた制動装置とを備えた傾斜型乗客コンベアにおいて、前記枠体の傾斜枠内に位置し往路側となる左右一対の踏板チェーンを運転停止時に保持するチェーン保持手段を設けたことを特徴とする傾斜型乗客コンベア。
【請求項５】
上部水平枠と下部水平枠とそれらの間に位置する傾斜枠とから構成され上下階に傾斜して設置された枠体と、この枠体内に案内され左右一対の無端状の踏板チェーン間に連結されて循環移動する複数の踏板と、前記踏板チェーンを前記枠体の上下部で巻き掛けた駆動スプロケット及び従動スプロケットと、前記駆動スプロケットを駆動する駆動装置と、この駆動装置に設けられた制動装置とを備えた傾斜型乗客コンベアにおいて、前記枠体の傾斜枠内に位置し往路側となる踏板チェーンを運転停止時に保持するチェーン保持手段を、左右一対の踏板チェーンに夫々同じ数となるように複数設けたことを特徴とする傾斜型乗客コンベア。
【請求項６】
前記チェーン保持手段は、前記制動装置とは独立して制御されていることを特徴とする請求項１，２，３，４又は５記載の傾斜型乗客コンベア。
【請求項７】
前記チェーン保持手段は、前記踏板の移動停止後、踏板チェーンを保持するように構成されていることを特徴とする請求項１，２，３，４又は５記載の傾斜型乗客コンベア。
【請求項８】
前記チェーン保持手段は、前記踏板チェーンを挟圧して保持するように構成されていることを特徴とする請求項１，２，３，４又は５記載の傾斜型乗客コンベア。
【請求項９】
前記チェーン保持手段は、前記踏板チェーンを構成する左右の連結リンク間のチェーンローラを挟圧するように構成されていることを特徴とする請求項８記載の傾斜型乗客コンベア。
【請求項１０】
前記チェーン保持手段は、前記踏板チェーンを挟圧する二つの挟圧部材を有し、これら挟圧部材の一方を他方側に接近するように駆動する挟圧部材駆動装置が設けられていることを特徴とする請求項８記載の傾斜型乗客コンベア。
【発明の詳細な説明】
【技術分野】
【０００１】
本発明は上下階に傾斜して設置され傾斜区間で隣接踏板間に段差が生じるエスカレーターや傾斜区間で隣接踏板間に段差が生じない電動道路などの傾斜型乗客コンベアに係り、特に、運転停止時においてエスカレーターや電動道路を通路として利用するのに好適な傾斜型乗客コンベアに関する。
【背景技術】
【０００２】
通常、傾斜型乗客コンベアにおける制動装置は、特許文献１に示すように、枠体の上階側に設置された踏板を駆動する駆動装置と一体に設けられている。また、枠体の傾斜区間に踏板を駆動する駆動装置を複数設置した傾斜型乗客コンベアにおいても、特許文献２に示すように、複数設置された駆動装置と一体に夫々制動装置が設けられている。
【０００３】
【特許文献１】特開２０００−９５４６９号公報
【特許文献２】特開２００５−１８７２０２号公報
【発明の開示】
【発明が解決しようとする課題】
【０００４】
一般に、傾斜型乗客コンベアが、停電時や緊急時に運転が停止した場合には、搭乗していた乗客は、運転が停止している傾斜型乗客コンベア上を歩行して最寄りの階床に避難し、また、最寄りの階床にいる人たちは、運転が停止している傾斜型乗客コンベアを階段や通路として最寄りの階に避難しているのが現状である。
【０００５】
このように、運転が停止している傾斜型乗客コンベアを階段や通路として多数の人たちが利用した場合、踏板を連結している踏板チェーンに多大な荷重が作用し、駆動装置と一体の制動装置ではこの荷重を支えきれず、スリップして踏板がいきなり下方に移動することがある。このように踏板がいきなり移動し始めることで避難中の多数の人たちが転倒したりすることがあり、きわめて危険である。
【０００６】
このような不都合をなくすために、駆動装置と一体の制動装置の制動力を強力にして多大な荷重が作用してもスリップしないようにすることも考えられるが、このように制動装置の制動力を強力にすると、乗客を乗せた通常運転時に安全装置が作動して制動装置が働いた場合に、傾斜型乗客コンベアが緩停止せずに急停止するので、乗客を危険に晒すことになる。
【０００７】
本発明の目的は、制動装置の制動力を強力にすることなく停止時の踏板の移動を防止できる傾斜型乗客コンベアを提供することにある。
【課題を解決するための手段】
【０００８】
本発明は上記目的を達成するために、駆動装置に設けられた制動装置とは別に、踏板チェーンを運転停止時に保持するチェーン保持手段を設けたのである。
【発明の効果】
【０００９】
このように、運転停止時に踏板チェーンを保持するチェーン保持手段を設けることで、駆動装置に設けられた制動装置の制動力を強力にする必要はなくなり、その結果、たとえば安全装置作動時に傾斜型乗客コンベアを緩停止させることができる。そして、運転停止時に多数の人たちが傾斜型乗客コンベアを階段や通路として利用しても、踏板チェーンはチェーン保持手によって保持されているので、制動装置の制動力を強力にすることなく踏板の移動を防止することができる。
【発明を実施するための最良の形態】
【００１０】
以下本発明による傾斜型乗客コンベアの一実施の形態を、図１〜図３に示すエスカレーターに基づいて説明する。
【００１１】
エスカレーター１は、上下階に跨って設置され上部水平枠２Ａと下部水平枠２Ｂと中間傾斜枠２Ｃとからなる枠体２と、この枠体２内に案内されて上下階間を循環移動する複数の踏段３と、これら踏段３を駆動し前記上部水平枠２Ａに設置された駆動装置４と、前記踏段３の移動方向両側に位置する前記枠体２に立設された欄干５とを有する。
【００１２】
前記踏段３は、往路側では常に上側に面する乗客が乗る踏板３Ｓを有し、幅方向の両側を左右一対の無端状の踏板チェーン６に連結されている。これら左右の踏板チェーン６は、上部水平枠２Ａ内に軸支された駆動スプロケット７と下部水平枠２Ｂ内に軸支された従動スプロケット８との間に巻き掛けられている。
【００１３】
前記駆動装置４は、電動機９と、この電動機９の回転を減速する減速機１０と、減速機１０の出力軸に設けられた動力伝達スプロケット１１と、この動力伝達スプロケット１１の動力を前記駆動スプロケット７に伝える駆動チェーン１２と、前記減速機１０の入力軸側に設けられた制動装置１３とを備えている。そしてこれらからなる駆動装置４は、制御装置１４を介した各種制御信号によって運転されている。
【００１４】
前記欄干５は、その周縁に前記踏段３と同期して駆動される無端状の移動手摺１５が案内されている。
【００１５】
さらに、詳細に説明すると、前記踏段３は、軸受１６を介して前軸１７及び後軸（図示せず）が軸支されており、前軸１７の両側には、前輪１８が回転自在に設けられている。これら前輪１８は、前記枠体２内に固定された案内レール１９によって案内されている。さらに、前記前軸１７には、左右の連結リンク６ａとチェーンローラ６ｂとからなる踏板チェーン６が連結されており、結果的に、踏段３を踏板チェーン６に連結している。
【００１６】
そして、踏板チェーン６には、チェーン保持手段２０が対向配置されている。このチェーン保持手段２０は、前記踏板チェーン６の左右の連結リンク６ａ間に位置するチェーンローラ６ｂを両側（図２および図３においては上下側）から挟み込む二つの挟圧部材２１Ａ，２１Ｂと、挟圧部材２１Ａを挟圧部材２１Ｂ側（図３の矢印方向）に駆動する挟圧部材駆動装置２２とを有している。この挟圧部材駆動装置２２は、例えば、挟圧部材２１Ａを挟圧部材２１Ｂ側に押し付ける押圧ばねとこの押圧ばねに逆らって挟圧部材２１Ａを挟圧部材２１Ｂから引き離す電磁石などから構成されている。そして、エスカレーター１の通常運転時には、これら挟圧部材２１Ａ，２１Ｂは、前記踏板チェーン６と隙間を持って対向しており、停電時や緊急時の運転停止時に前記挟圧部材駆動装置２２を作動させて前記踏板チェーン６を挟圧部材２１Ａ，２１Ｂを挟圧保持するのである。尚、挟圧部材２１Ａ，２１Ｂによる挟圧保持により踏板チェーン６が変位しないように、挟圧部材２１Ｂは常に踏板チェーン６に接触させてチェーンガイドとして機能させておくことが望ましい。
【００１７】
本実施の形態によれば、停電時や緊急時に制御装置１４からの指令により駆動装置４の制動装置１３が作動すると、エスカレーター１は乗客に大きなショックを与えることなく緩停止する。エスカレーター１の停止と同時に制御装置１４からの指令により、挟圧部材駆動装置２２を作動させることで、踏板チェーン６は強力に保持される。したがって、踏段３は不動となり、この踏段３を階段として多数の人たちが利用しても、踏板チェーン６はスリップすることなく保持されるので、踏段３を階段として多数の人たちが利用して踏段３が移動することで発生する不都合を一掃することができる。
【００１８】
このように、エスカレーター１の運転停止時における踏段３の固定を、駆動装置４の制動装置１３に全部負担させることがないので、制動装置１３は緩停止の機能を維持できる。
【００１９】
ところで、上述の動作は、停電時や緊急時を一例に説明したが、通常運転時における運転停止時においても、制動装置１３による踏板３の移動低支持に、チェーン保持手段２０を作動させて利用できることは云うまでもない。
【００２０】
また、前記チェーン保持手段２０は、踏板チェーン６を保持できる位置であれば、何処に設置してもよいが、設置位置を考慮すれば、前記駆動スプロケット７と従動スプロケット８の間の踏板チェーン６や、前記枠体２の中間傾斜枠２Ｃに位置する踏板チェーン６などに設置することが望ましい。
【００２１】
さらに、踏板チェーン６の耐張力を考慮すれば、踏段３の往路側となる踏板チェーン６側に設置すると共に、前記駆動スプロケット７と従動スプロケット８の間に左右の踏板チェーン６に対して同数となるように複数設置することが望ましい。このように、チェーン保持手段２０を設置することで、エスカレーター１の運転停止時に多数の人たちが踏段３上に乗った場合でも、踏板チェーン６に作用する張力が駆動スプロケット７に集中することがなく、駆動スプロケット７と複数のチェーン保持手段２０によって分散されるので、踏板チェーン６の損傷や破断を防止することができる。
【００２２】
図４及び図５は、図１〜図３に示す実施の形態におけるチェーン保持手段２０の変形例を示すものである。
【００２３】
本変形例におけるチェーン保持手段２３は、二つの挟圧部材２１Ａ，２１Ｂの両方に、夫々挟圧部材駆動装置２２，２４を設け、エスカレーター１の運転停止時に、挟圧部材２１Ａ，２１Ｂを同時に駆動して踏板チェーン６を挟圧保持するようにしたものである。したがって、この変形例の場合、エスカレーター１の運転中は、踏板チェーン６に対して隙間を介して挟圧部材２１Ａ，２１Ｂを対向させておくことで、踏板チェーン６による挟圧部材２１Ａ，２１Ｂに対する摺動摩耗を防止することができる。
【００２４】
ところで、以上の説明は、傾斜型乗客コンベアとしてエスカレーター１を一例に説明したが、傾斜して設置される電動道路に対しても本発明を適用できるのは云うまでもない。
【図面の簡単な説明】
【００２５】
【図１】本発明による傾斜型乗客コンベアの一実施の形態であるエスカレーターを示す概略縦断側面図。
【図２】図１のＡ−Ａ線に沿う縦断拡大図。
【図３】図２の側面図。
【図４】本実施の形態における変形例を示す図２相当図。
【図５】図４の側面図。
【符号の説明】
【００２６】
１…エスカレーター、２…枠体、２Ａ…上部水平枠、２Ｂ…下部水平枠、２Ｃ…中間傾斜枠、３…踏段、４…駆動装置、５…欄干、６…踏板チェーン、６ａ…連結リンク、６ｂ…チェーンローラ、７…駆動スプロケット、８…従動スプロケット、９…電動機、１３…制動装置、２０，２３…チェーン保持手段、２１Ａ，２１Ｂ…挟圧部材、２２，２４…挟圧部材駆動装置。
【図１】
2008273665.tif 000003
【図２】
2008273665.tif 000004
【図３】
2008273665.tif 000005
【図４】
2008273665.tif 000006
【図５】
2008273665.tif 000007